(57)【特許請求の範囲】
【請求項１】
両側から上方向に折曲形成した一対の対向側片を有する電線接続部を設けた端子板と、この端子板の一対の対向側片間に配設されて電線導体を前記対向側片間の一方側に押圧付勢して前記電線導体を鎖錠接続する一対の鎖錠ばねと、前記一対の対向側片に被さるものであって前記一対の鎖錠ばねに対応する上壁に前記電線導体を挿通する電線挿通孔を各々設けるとともに前記一対の鎖錠ばね間に前記一対の鎖錠ばねを位置決めする位置決め壁を内部に設けた下面開口の絶縁性ケースと、前記位置決め壁にスライド自在にガイドされて前記電線挿通孔から挿通された前記電線導体を、前記鎖錠ばねに鎖錠された状態から前記鎖錠ばねを撓めて解錠する解錠釦とを備え、
前記上壁に前記解錠釦に対向して解錠用挿通孔を形成し、
前記端子板の一対の対向側板に爪係止孔を形成し、前記爪係止孔に係止する係止爪を絶縁性ケースに設けた端子装置。
【請求項２】
前記解錠釦は、前記絶縁性ケースの２つの電線挿通孔の中間で前記電線挿通孔の並設方向に対して直交方向にずらした位置に設けられ、前記２つの電線挿通孔から挿通された前記電線導体を、前記鎖錠ばねに鎖錠された状態から各々前記鎖錠ばねを撓めて解錠する請求項１記載の端子装置。
【請求項３】
前記解錠釦で操作される一対の鎖錠ばねを個々に位置決めする位置決め壁を跨がる形で前記解錠釦を前記絶縁性ケース内に配設し、この解錠釦が跨がる前記位置決め壁に、前記解錠釦を絶縁性ケースの上面から内面方向にスライドさせるスライド突起を設けるとともに、前記解錠釦にスライド突起に沿って係合するスライド溝を設けてなる請求項２記載の端子装置。
【請求項４】
前記端子板の長手方向両端に電線接続部に連設する連結部を設け、これらの連結部とともに前記電線接続部の下面を絶縁性端子台に載せて前記端子板を前記絶縁性端子台に取着した請求項１、請求項２または請求項３記載の端子装置。
【請求項５】
前記連結部に連結用のねじが挿通される挿通孔を設け、前記絶縁性端子台に前記挿通孔から挿通されたねじの先端が螺合するナットの収納部を設けるとともに前記端子板の両側に係合して前記端子板を前記絶縁性端子台の表面にスライド自在に挟持する保持突起を設けた請求項４記載の端子装置。
【発明の詳細な説明】
【０００１】
【発明の属する技術分野】
この発明は、ねじによらずに電線導体を接続する、所謂速結の端子装置に関するものである。
【０００２】
【従来の技術】
従来のこの種の端子装置として、実開平６−４５２６０号に示すものが存在する。このものにあっては、ケースを上下分割して各々収納部を設け、下ケース内に複数の端子板とともに複数の鎖錠ばねを配設し、その後、上ケースを取着するものである。
【０００３】
【発明が解決しようとする課題】
しかしながら、下ケースにいちいち端子板とともに鎖錠ばねを収納した後、更に上ケースを取着しなければならず、端子板および鎖錠ばね等の部品の収納作業が煩わしいという問題があった。
【０００４】
したがって、この発明の目的は、部品の収納作業が容易となる端子装置を提供することである。
【０００５】
【課題を解決するための手段】
請求項１記載の端子装置は、両側から上方向に折曲形成した一対の対向側片を有する電線接続部を設けた端子板と、この端子板の一対の対向側片間に配設されて電線導体を前記対向側片間の一方側に押圧付勢して前記電線導体を鎖錠接続する一対の鎖錠ばねと、前記一対の対向側片に被さるものであって前記一対の鎖錠ばねに対応する上壁に前記電線導体を挿通する電線挿通孔を各々設けるとともに前記一対の鎖錠ばね間に前記一対の鎖錠ばねを位置決めする位置決め壁を内部に設けた下面開口の絶縁性ケースと、前記位置決め壁にスライド自在にガイドされて前記電線挿通孔から挿通された前記電線導体を、前記鎖錠ばねに鎖錠された状態から前記鎖錠ばねを撓めて解錠する解錠釦とを備え、
前記上壁に前記解錠釦に対向して解錠用挿通孔を形成し、
前記端子板の一対の対向側板に爪係止孔を形成し、前記爪係止孔に係止する係止爪を絶縁性ケースに設けたものである。
【０００６】
請求項１記載の端子装置によれば、各鎖錠ばねを個々に絶縁性ケースの位置決め壁に位置決めし、この状態で絶縁性ケースの下面開口より内部に端子板の対向側片を嵌め込むことで、全ての鎖錠ばねおよび端子板を絶縁性ケース内に収納でき、鎖錠ばねおよび端子板の収納作業が容易となる。
【０００７】
請求項２記載の端子装置は、請求項１において、前記解錠釦は、前記絶縁性ケースの２つの電線挿通孔の中間で前記電線挿通孔の並設方向に対して直交方向にずらした位置に設けられ、前記２つの電線挿通孔から挿通された前記電線導体を、前記鎖錠ばねに鎖錠された状態から各々前記鎖錠ばねを撓めて解錠するものである。
【０００８】
請求項２記載の端子装置によれば、請求項１と同様な効果のほか、各解錠釦で２つ毎の鎖錠ばねを同時に撓めて電線導体を解錠するので、電線導体の解錠作業が容易になる。また、２つ毎の電線挿通孔の中間位置に解錠釦があるので、電線導体を折曲して電線挿通孔の並設方向に対して直交方向に引き延ばしたときでも解錠釦の操作が容易となる。
【０００９】
請求項３記載の端子装置は、請求項２において、前記解錠釦で操作される一対の鎖錠ばねを個々に位置決めする位置決め壁を跨がる形で前記解錠釦を前記絶縁性ケース内に配設し、この解錠釦が跨がる前記位置決め壁に、前記解錠釦を絶縁性ケースの上面から内面方向にスライドさせるスライド突起を設けるとともに、前記解錠釦にスライド突起に沿って係合するスライド溝を設けてなるものである。
【００１０】
請求項３記載の端子装置によれば、請求項２と同様な効果のほか、解錠釦が正確な位置で絶縁性ケースの上面から内面にかけてスライドすることとなり、一対の鎖錠ばねを撓ませる力を均一に保つことができ、このため隣り合う電線導体の解錠作業がさらに容易となる。
【００１１】
請求項４記載の端子装置は、請求項１、請求項２または請求項３において、前記端子板の長手方向両端に電線接続部に連設する連結部を設け、これらの連結部とともに前記電線接続部の下面を絶縁性端子台に載せて前記端子板を前記絶縁性端子台に取着したものである。
【００１２】
請求項４記載の端子装置によれば、請求項１、請求項２または請求項３と同様な効果のほか、分電盤内に配設したときの端子板と分電盤の底面との絶縁が図れる。とくに負荷からの接地線接続用として使用する場合、分岐ブレーカから負荷に接続される回路と分電盤とを個別に接地することができる。このため、漏電遮断器を使用する回路の接地抵抗と分電盤自体の接地抵抗とを異なる値にすることができ、分電盤自体の接地を容易にすることができる。また各端子板を絶縁性端子台によって分電盤箱体から浮かし、各々の端子装置を個々に接地することで、各端子装置毎に漏電遮断器および配線用遮断器を分離して配設することができる。
【００１３】
請求項５記載の端子装置は、請求項４において、前記連結部に連結用のねじが挿通される挿通孔を設け、前記絶縁性端子台に前記挿通孔から挿通されたねじの先端が螺合するナットの収納部を設けるとともに前記端子板の両側に係合して前記端子板を前記絶縁性端子台の表面にスライド自在に挟持する保持突起を設けたものである。
【００１４】
請求項５記載の端子装置によれば、請求項４と同様な効果のほか、端子板の上方向の抜けを保持突起で防止するとともに横方向の抜けをねじをナットに螺合させることで防止でき、端子板の保持構造を容易に形成することができる。
【００１５】
【発明の実施の形態】
この発明の一実施の形態を図１から図１２により説明する。図１から図８は主に端子装置を示し、図９から図１２は分電盤を示す。
【００１６】
端子装置は、端子板１と、鎖錠ばね２と、絶縁性ケース３とを有する。
【００１７】
端子板１は、両側から上方向に折曲形成した一対の対向側片４、５を有する電線接続部６を設けている。実施の形態では端子板１を帯板により形成し、電線接続部６を端子板１の中間部で幅方向の一側寄りの位置で底部６ａを形成し、底部６ａの両側に対向側片４、５を垂直に折曲し、対向側片４、５に絶縁ケース３を取付けるための爪挿通用切欠１４および爪係止孔１５を形成している。また端子板１の長手方向両端に電線接続部６に連設する連結部７を設け、これらの連結部７とともに電線接続部６の下面を絶縁性端子台８に載せて端子板１を絶縁性端子台８に取着するように構成している。実施の形態では、連結部７に連結用のねじ９が挿通される挿通孔１０を設け、絶縁性端子台８に挿通孔１０から挿通されたねじ９の先端が螺合するナット１１の収納部１２を設けるとともに、端子板１の連結部７の両側に係合して端子板１を絶縁性端子台８の表面にスライド自在に挟持する保持突起１３を設けている。絶縁性端子台８は収納部１２の底部にねじ９の先端が進入する凹部１２ａを形成し、また絶縁性端子台８の一側のほぼ中央位置に略半円状の一対の取付凹部１６およびねじ挿通孔１７を形成している。ねじ挿通孔１７の中心間距離は凹部１２ａの中心間距離と後述のように一定の寸法関係に設定している。絶縁性端子台８の長手方向の一端側から端子板１の一端を保持突起１３間にスライドし、連結部７の挿通孔１０を収納部１２のナット１１に合わせ、挿通孔１０にねじ９を通してナット１１に締付けて位置決め固定する。
【００１８】
複数の鎖錠ばね２は、端子板１の一対の対向側片４、５間に配設されて電線導体１８を対向側片４、５間の一方側に押圧付勢して電線導体１８を鎖錠接続する。実施の形態の鎖錠ばね２は、ばね性を有する板材を曲げて４個形成したもので、一端を略Ｌ字に折返して鎖錠部２０を形成し、他端を鎖錠部２０側に略Ｕ字に折返しさらにその先端を鎖錠部２０の延び方向に折り返すように湾曲して電線導体１８に接触する接触部２１を形成している。
【００１９】
絶縁性ケース３は、下面開口２２を有して、一対の対向側片４、５に被さるように取着されるケースであって、鎖錠ばね２に対応する上壁２３に電線導体１８を挿通する電線挿通孔２４を各々設けるとともに内部に個々の鎖錠ばね２毎に位置決めする位置決め壁２５を設けている。絶縁性ケース３の内側壁に端子板１の爪係止孔１５に絶縁ケース３の樹脂弾性により係止する係止爪３５を設けている。また絶縁性ケース３内の鎖錠ばね２を納める部分の上壁２３の内面側に鎖錠部２０の傾斜に沿って鎖錠部２０を支持する傾斜部４５を設け、図４に示すように鎖錠ばね２を落とし込んだとき、鎖錠ばね２の中央部を絶縁性ケース３の内側壁に平行になるようにしている。鎖錠ばね２を収納するスペースは、絶縁性ケース３の中央に設けた仕切り壁３９と位置決め壁２５との間、および絶縁性ケース３の両端壁の内側に二重に形成された内側壁４６と位置決め壁２５との間に形成される。
【００２０】
また解除釦３０が、絶縁性ケース３の２つ毎の電線挿通孔２４の中間で電線挿通孔２４の並設方向に対して直交方向にずらした位置に設けられ、２つ毎の電線挿通孔２４から挿通された電線導体１８を、鎖錠ばね２に鎖錠された状態から各々鎖錠ばね２を撓めて解錠する。実施の形態では、解錠釦３０で操作される一対の鎖錠ばね２を個々に位置決めする位置決め壁２５を跨がる形で解錠釦３０を絶縁性ケース３内に配設し、この解錠釦３０が跨がる位置決め壁２５に、解錠釦３０を絶縁性ケース３の上面から内面方向にスライドさせるスライド突起３１を設けるとともに、解錠釦３０にスライド突起３１に沿って係合するスライド溝３２を設けている。また解除釦３０は略長方体であり、解除動作する方向の後端部にマイナスドライバを係合するための溝４０を両側の四隅に突条４１を設けることにより形成し、また両側に鎖錠ばね２の鎖錠部２０に係止する係止突起４２を設けている。一方マイナスドライバ４４（図８参照）を挿通するため、絶縁性ケース３の上壁２３に各一対の電線挿通孔２４にまたがるようにドライバ挿通孔３３を形成している。
【００２１】
なお、３６は電線導体１８と鎖錠ばね２の鎖錠状態を覗く覗き孔、３７は電線接続部６の両側に設けられた孔、３８は絶縁性基台８に設けられ孔３７に整合する孔、４７は内側壁４６の外側壁の外表面に形成された縦溝である。
【００２２】
つぎに組立について説明する。図２の状態に絶縁性ケース３の下面開口２を上に向け、まずスライド突起３１にガイド溝３２をスライドして解除釦３０を絶縁性ケース３に落とし込むように挿入する。つぎに鎖錠ばね２を位置決め壁２５と内側壁４６と仕切り３９とで形成された収納スペース内に落とし込む。このとき鎖錠ばね２は図４に示す姿勢になるとともに図５に示すように解錠釦３０の係止突起４２に鎖錠部２が係止する。さらにこの状態で絶縁性ケース３の下面開口２２を上向きにしたまま（図１を上下逆にして見たように）端子板１の対向側片４、５を下面開口２２より内部に挿入する。このとき、係止爪３５が対向側片４、５の爪挿通用切欠１４に入りさらに絶縁性ケース３および対向側片４、５が弾性変形して爪係止孔１５に係止する。つぎに端子板１の連結部７を前記した通り図３に示すように絶縁性器台８に取付ける。
【００２３】
つぎに電線導体１８の速結は、図６が電線導体１８を電線挿通孔２４に臨ませた状態であり、図７が電線導体１８を電線挿通孔２４より挿入した状態であり、このとき電線導体１８は鎖錠部２０を押して進入し接触部２１に接触しながらこれらに押されて対向側片５の内面に押圧され、対向側片５と鎖錠ばね２との間に挟持される。また電線導体１８に鎖錠部２０が食い込むので、電線導体１８を引き抜くことができない。図８はマイナスドライバ４４をドライバ挿通孔３３より挿入して解除釦３０を押圧し係止突起４２で鎖錠部２０を押し下げ鎖錠部２０の先端を電線導体１８から離した状態であり、この状態で電線導板１８を引き抜くことができる。
【００２４】
図９から図１１に示す分電盤について説明する。図９において、分電盤箱体５０内の底部に設置された上側基台５１に主幹ブレーカ（主幹開閉器）５３が設置され、下側基台５２に複数の分岐ブレーカ（分岐開閉器）５４が縦２列に設置されている。各分岐ブレーカ５４は電源側にバー接続用アダプタ５４ａの付いた配線用遮断器を用い、その負荷線接続側の下側基台５２には各分岐ブレーカ５４毎にそれぞれ接地線接続用のねじ孔により形成した接続孔が設けられている。隣合う２個の接続孔に絶縁性端子台８の一対のねじ挿通孔１７が位置合わせするように設定されており、図１０に示すようにねじ５６でねじ挿通孔１７を通してねじ込み固定される。ここで、端子板１の長手方向の長さは分岐ブレーカ５４が４個横並びに図のように縦に並んだときの長さに相当し、また端子板１の連結部７の挿通孔１０はねじ挿通孔１７がそれぞれ対応する分岐ブレーカ５４の両外側の分岐ブレーカ５４に対応する位置となるように寸法設定されている。電線挿通孔２４は１個の端子板１につき４個設けられ、絶縁性基台８の付いた各端子板１は４台分の分岐ブレーカ５４ごとに設けられるので、例えば１２台の場合３個の端子板１が並ぶこととなる。また端子装置が下側基台５２に設置された状態で、分岐ブレーカ５４の負荷側端子７２の高さと端子装置の絶縁性ケースの上端部の高さとの間に図１１に示すように十分な高低差Ｈがあり、負荷側端子７２に接続される負荷線７３の配線に支障がなく、また端子装置の鎖錠ばねに接続されて負荷線７３に平行に曲げて引き出される電線導体１８の配線にも支障がない。５７は隣合う端子板１の挿通孔１０にねじ５８で連結される導電性の接続板であり、隣接する端子板１の相互を電気的に接続する。そして、端子板１の１つに分電盤箱体５０のアース部に接続している。一方、アース付きコンセントなどのアース端子に接続した電線導体１８をそのコンセントを制御する分岐ブレーカ５４に対応する端子装置の電線挿通孔２４に差込速結する。
【００２５】
なお、６０は外扉、６１は主幹ブレーカ５３および分岐ブレーカ５４の操作窓６１ａを有してこれらを隠蔽する中蓋、６２はねじによる中蓋取付部、６３は図９に示した中蓋引掛片、６４は主幹ブレーカ５３と分岐ブレーカ５４とを接続するバーである。
【００２６】
この実施の形態によれば、各鎖錠ばね２を個々に絶縁性ケース３の位置決め壁２５に位置決めし、この状態で絶縁性ケース３の下面開口２２より内部に端子板１の対向側片４、５を嵌め込むことで、全ての鎖錠ばね２および端子板１の対向側片４、５を絶縁性ケース３内に収納でき、鎖錠ばね２および端子板１の収納作業が容易となる。
【００２７】
また各解錠釦３０で２つ毎の鎖錠ばね２を同時に撓めて電線導体１８を解錠するので、電線導体１８の解錠作業が容易になる。また、２つ毎の電線挿通孔２４の中間位置に解錠釦３０があるので、電線導体１８を折曲して電線挿通孔２４の並設方向に対して直交方向に引き延ばしたときでも解錠釦３０の操作が容易となる。
【００２８】
さらに、解錠釦３０がスライド突起３１にガイドされることにより、が正確な位置で絶縁性ケース３の上面から内面にかけてスライドすることとなり、一対の鎖錠ばね２を撓ませる力を均一に保つことができ、このため隣り合う電線導体１８の解錠作業がさらに容易となる。
【００２９】
また分電盤の箱体５０内に配設したときの端子板１と分電盤箱板５０の底面との絶縁が図れる。とくにこの端子装置を負荷からの接地線接続用として使用する場合、分岐ブレーカ５４から負荷に接続される回路と分電盤とを個別に設置することができる。このため、漏電遮断器を使用する回路の接地抵抗と分電盤自体の接地抵抗とを異なる値にすることができ、分電盤自体の接地を容易にすることができる。すなわち、各端子板１を絶縁性端子台８によって分電盤箱体５０から浮かし、各々の端子板１を個々に接地することで、各端子装置毎に漏電遮断器および配線用遮断器を分離して配設することが可能となる。
【００３０】
例えば、分岐ブレーカ５４を漏電遮断器と通常の配線用遮断器の混合とした分電盤では、図１２（ａ）に示すように、各負荷の接地用の端子装置を同一接地とした場合、通常の配線用遮断器５４ａに漏洩電流が流れると同一接地の漏電遮断器５４ｂの回路に電位が生じ、このとき漏電遮断器５４ｂが接続された負荷に電位が生じているにも係わらずトリップしない。したがって、漏電遮断器５４ｂと配線用遮断器５４ａとの接地は図１２（ｂ）に示すように別々にとる必要がある。上記のように各端子装置を絶縁性端子台８によって箱体５０から浮かし、別々の端子装置を個々に接地させることで、各端子装置ごとに漏電遮断器５４ｂ、配線用遮断器５４ａを分離して配設することができる。なお、７０ａ、７０ｂはモータである。
【００３１】
さらに端子板１の上方向の抜けを保持突起１３で防止するとともに横方向の抜けをねじ９をナット１１に螺合させることで防止でき、端子板１の保持構造を容易に形成することができる。
【００３２】
なお、端子板１を絶縁性端子台８を介して設置しているが、絶縁性端子台８を外して端子板１を直接接続孔に接続することができ、この場合は絶縁性端子台８がない分分岐ブレーカ５４に近づけると、挿通孔１０が基台５２側の接続孔に整合するのでねじ止めすることができる。
【００３３】
【発明の効果】
請求項１記載の端子装置によれば、各鎖錠ばねを個々に絶縁性ケースの位置決め壁に位置決めし、この状態で絶縁性ケースの下面開口より内部に端子板の対向側片を嵌め込むことで、全ての鎖錠ばねおよび端子板を絶縁性ケース内に収納でき、鎖錠ばねおよび端子板の収納作業が容易となる。
【００３４】
請求項２記載の端子装置によれば、請求項１と同様な効果のほか、各解錠釦で２つ毎の鎖錠ばねを同時に撓めて電線導体を解錠するので、電線導体の解錠作業が容易になる。また、２つ毎の電線挿通孔の中間位置に解錠釦があるので、電線導体を折曲して電線挿通孔の並設方向に対して直交方向に引き延ばしたときでも解錠釦の操作が容易となる。
【００３５】
請求項３記載の端子装置によれば、請求項２と同様な効果のほか、解錠釦が正確な位置で絶縁性ケースの上面から内面にかけてスライドすることとなり、一対の鎖錠ばねを撓ませる力を均一に保つことができ、このため隣り合う電線導体の解錠作業がさらに容易となる。
【００３６】
請求項４記載の端子装置によれば、請求項１、請求項２または請求項３と同様な効果のほか、分電盤内に配設したときの端子板と分電盤の底面との絶縁が図れる。とくに負荷からの接地線接続用として使用する場合、分岐ブレーカから負荷に接続される回路と分電盤とを個別に接地することができる。このため、漏電遮断器を使用する回路の接地抵抗と分電盤自体の接地抵抗とを異なる値にすることができ、分電盤自体の接地を容易にすることができる。また各端子板を絶縁性端子台によって分電盤箱体から浮かし、各々の端子装置を個々に接地することで、各端子装置毎に漏電遮断器および配線用遮断器を分離して配設することができる。
【００３７】
請求項５記載の端子装置によれば、請求項４と同様な効果のほか、端子板の上方向の抜けを保持突起で防止するとともに横方向の抜けをねじをナットに螺合させることで防止でき、端子板の保持構造を容易に形成することができる。
【図面の簡単な説明】
【図１】この発明の一実施の形態の分解斜視図である。
【図２】その絶縁性ケースから内部部品を引き出した状態の分解斜視図である。
【図３】絶縁性端子台に取付けた状態の斜視図である。
【図４】鎖錠ばねの収納状態を示す断面図である。
【図５】スライド突起を破断した状態の解錠釦と鎖錠ばねの関係を示す側面図である。
【図６】電線導体を挿入する前の端子装置の断面図である。
【図７】速結状態の端子装置の断面図である。
【図８】解錠釦を押して電線導体を解錠した状態の端子装置の断面図である。
【図９】分電盤の中蓋を外した状態の正面図である。
【図１０】端子装置を接地用として配線用遮断器に沿って配設した状態を示す部分正面図である。
【図１１】図９の断面図である。
【図１２】漏電遮断器と配線用遮断器の接地を示す回路図である。
【符号の説明】
１    端子板
２    鎖錠ばね
３    絶縁性ケース
４、５    対向側片
６    電線接続部
７    連結部
８    絶縁性端子台
９    ねじ
１０    挿通孔
１１    ナット
１２    収納部
１３    保持突起
１８    電線導体
２２    下面開口
２３    上壁
２４    電線挿通孔
２５    位置決め壁
３０    解除釦
３１    スライド突起
３２    スライド溝
【図１】
0003603644.tif 000002
【図２】
0003603644.tif 000003
【図３】
0003603644.tif 000004
【図４】
0003603644.tif 000005
【図５】
0003603644.tif 000006
【図６】
0003603644.tif 000007
【図７】
0003603644.tif 000008
【図８】
0003603644.tif 000009
【図９】
0003603644.tif 000010
【図１０】
0003603644.tif 000011
【図１１】
0003603644.tif 000012
【図１２】
0003603644.tif 000013